(57)【要約】【課題】  デジタルラジオ放送において、コンテンツ（番組、楽曲等）の視聴率又は聴取率を、さらには通信率を確実に把握することができるデジタルラジオ放送波受信制御システム及びそのサーバ装置に関する。  【解決手段】  デジタルラジオ放送波にＣ-ＢＭＬを搭載してコンテンツ信号の送信を行い、該コンテンツ信号を受信側の携帯電話等の端末Ａにて一時記憶すること。このコンテンツ信号における番組内容全体となるコンテンツ基本ＩＤと端末識別ＩＤとをログサーバＢに通信回線Ｅを介して送信して予め登録された全端末数に対する聴取状態の前記コンテンツ基本ＩＤの端末聴取総数とを集計して番組の聴取率を計算して閲覧可能としたこと。【選択図】    図１
2007110438.tif 000002
【特許請求の範囲】
【請求項１】
デジタルラジオ放送波にＣ-ＢＭＬを搭載してコンテンツ信号の送信を行い、該コンテンツ信号を受信側の携帯電話，カーナビゲーション又はパソコン等の端末にて一時記憶し、一時記憶されたＣ-ＢＭＬのコンテンツ信号における番組内容全体となるコンテンツ基本ＩＤと端末識別ＩＤとをログサーバに通信回線を介して送信し、該ログサーバにて予め登録された全端末数に対する聴取状態の前記コンテンツ基本ＩＤの端末聴取総数とを集計して番組の聴取率を計算して閲覧可能としてなることを特徴とするデジタルラジオ放送波受信制御システム。
【請求項２】
デジタルラジオ放送波にＣ-ＢＭＬを搭載してコンテンツ信号の送信を行い、該コンテンツ信号を受信側の携帯電話，カーナビゲーション又はパソコン等の端末にて一時記憶し、一時記憶されたＣ-ＢＭＬのコンテンツ信号における番組内容全体となるコンテンツ基本ＩＤと端末識別ＩＤとをログサーバに通信回線を介して送信し、該ログサーバにて予め登録された全端末数に対する視聴状態の前記コンテンツ基本ＩＤの端末視聴総数とを集計して番組の視聴率を計算して閲覧可能としてなることを特徴とするデジタルラジオ放送波受信制御システム。
【請求項３】
請求項１又は２において、前記コンテンツ基本ＩＤにおける各コンテンツカテゴリＩＤを聴取又は視聴してなることを特徴とするデジタルラジオ放送波受信制御システム。
【請求項４】
請求項１，２又は３において、前記聴取率又は視聴率は、過去又は現在、或いはリアルタイムにて閲覧可能としてなることを特徴とするデジタルラジオ放送波受信制御システム。
【請求項５】
デジタルラジオ放送波にＣ-ＢＭＬを搭載してコンテンツ信号の送信を行い、該コンテンツ信号を受信側の携帯電話，カーナビゲーション又はパソコン等の端末にて一時記憶し、一時記憶されたＣ-ＢＭＬのコンテンツ信号における番組内容全体となるコンテンツ基本ＩＤと端末識別ＩＤとをログサーバに通信回線を介して送信し、該ログサーバにて予め登録された全端末数に対する聴取又は視聴状態の前記コンテンツ基本ＩＤにおける各コンテンツカテゴリＩＤ内での楽曲等の詳細情報又は購入情報を選択した端末聴取又は視聴総数とを集計して番組の通信率を計算して閲覧可能としてなることを特徴とするデジタルラジオ放送波受信制御システム。
【請求項６】
請求項５において、前記楽曲等の詳細情報又は購入情報はＷＥＢサーバに通信回線を介して送信し、該ＷＥＢサーバに格納された前記詳細情報又は購入情報を前記ログサーバに通信回線を介して送信して番組の通信率を計算して閲覧可能としてなることを特徴とするデジタルラジオ放送波受信制御システム。
【請求項７】
請求項５又は６において、前記通信率は、過去又は現在を、或いはリアルタイムにて閲覧可能としてなることを特徴とするデジタルラジオ放送波受信制御システム。
【請求項８】
Ｃ-ＢＭＬを搭載したデジタルラジオ放送波から携帯電話，カーナビゲーション又はパソコン等の端末に一時記憶されてデータ処理された番組内容全体となるコンテンツ基本ＩＤと前記端末毎の端末識別ＩＤとを通信回線を介する受信手段にてログサーバに受信し、該ログサーバに予め登録された全端末数に対し前記受信手段にて受信した視聴状態の前記コンテンツ基本ＩＤの端末視聴総数とを集計して番組の視聴率を計算して閲覧可能としてなることを特徴とするデジタルラジオ放送波受信制御システムにおけるサーバ装置。
【請求項９】
Ｃ-ＢＭＬを搭載したデジタルラジオ放送波から携帯電話，カーナビゲーション又はパソコン等の端末に一時記憶されてデータ処理された番組内容全体となるコンテンツ基本ＩＤと前記端末毎の端末識別ＩＤとを通信回線を介する受信手段にてログサーバに受信し、該ログサーバに予め登録された全端末数に対し前記受信手段にて受信した聴取状態の前記コンテンツ基本ＩＤの端末聴取総数とを集計して番組の聴取率を計算して閲覧可能としてなることを特徴とするデジタルラジオ放送波受信制御システムにおけるサーバ装置。
【請求項１０】
請求項８又は９において、前記コンテンツ基本ＩＤにおける各コンテンツカテゴリＩＤを聴取又は視聴してなることを特徴とするデジタルラジオ放送波受信制御システムにおけるサーバ装置。
【請求項１１】
請求項８，９又は１０において、前記聴取率又は視聴率は、過去又は現在を、或いはリアルタイムにて閲覧可能としてなることを特徴とするデジタルラジオ放送波受信制御システムにおけるサーバ装置。
【請求項１２】
Ｃ-ＢＭＬを搭載したデジタルラジオ放送波から携帯電話，カーナビゲーション又はパソコン等の端末に一時記憶されてデータ処理された番組内容全体となるコンテンツ基本ＩＤと前記端末毎の端末識別ＩＤとを通信回線を介する受信手段にてログサーバに受信し、該ログサーバに予め登録された全端末数に対し前記受信手段にて受信した聴取又は視聴状態の前記コンテンツ基本ＩＤにおける各コンテンツカテゴリＩＤ内での楽曲等の詳細情報又は購入情報を選択した端末聴取又は視聴総数とを集計して番組の通信率を計算して閲覧可能としてなることを特徴とするデジタルラジオ放送波受信制御システムにおけるサーバ装置。
【請求項１３】
請求項１２において、前記楽曲等の詳細情報又は購入情報はＷＥＢサーバに通信回線を介して送信し、該ＷＥＢサーバに格納された前記詳細情報又は購入情報を前記ログサーバに通信回線を介して送信して番組の通信率を計算して閲覧可能としてなることを特徴とするデジタルラジオ放送波受信制御システムにおけるサーバ装置。
【請求項１４】
請求項１２又は１３において、前記通信率は、過去又は現在を、或いはリアルタイムにて閲覧可能としてなることを特徴とするデジタルラジオ放送波受信制御システム。
【発明の詳細な説明】
【技術分野】
【０００１】
本発明は、デジタルラジオ放送において、コンテンツ（番組、楽曲等）の視聴率又は聴取率を、さらには通信率を確実に把握することができるデジタルラジオ放送波受信制御システム及びそのサーバ装置に関する。
【背景技術】
【０００２】
ＢＳデジタル放送では、コンテンツに関する情報としてＳＩ（Service Information サービス情報）が定義されている。この情報はコンテンツの関連情報ではあるが、ＥＰＧ（Electric Program Guide 電子番組ガイド）に特化しており、様々なコンテンツに対応したコンテンツ関連情報は存在した。また、ＦＭ多重ラジオ放送においても、様々なコンテンツに関する詳細な情報を定義可能な手段は、放送規格においては現状定義されていないため、コンテンツ毎の制御に基づいた木目細かいサービスを行うことができない。また、既存型のラジオ放送はコンテンツをリアルタイムで視聴することを念頭においたサービスであるため、コンテンツの蓄積制御など、加工制御したものは存在しなかった。
【０００３】
また、最近、デジタル技術の発達によりデジタルラジオ放送の開発が進められている。特に、我国では「デジタル統合放送サービス」（ＩＳＤＢ：Integrated Services Digital Broadcasting）と称して、画像（動画、静止画を含む），音声，文字・図形データ等を一体としてあらゆるサービスと統合した全く新規なマルチメディア放送サービスとして開発されている。特に、出願人は、携帯電話機にてラジオ放送を、画面を介して視聴したり、或いは聴取できる「ＦＭケータイ」と称して製品化している。
【特許文献１】特開２００２−２４７０２４
【発明の開示】
【発明が解決しようとする課題】
【０００４】
ところで、コンテンツ（番組、楽曲等）のデータが、画像データ，音声データ，文字・図形データその他のいかなるデータであっても、固定する場所での聴取者であっても、移動する状態でのユーザにもその番組データを確実に受信させ、その上で、これを受信した端末使用のユーザの当該番組の視聴率又は聴取率を把握することが求められている。特許文献１では視聴制御は行われているが、視聴率把握については記載がない。この視聴率又は聴取率を、時間軸に応じて正確に把握することは、テレビ又はラジオ放送局としても夢実現の問題である。このため、本発明の目的（発明の課題）は、デジタルラジオ放送において、コンテンツ（番組、楽曲等）の視聴率又は聴取率を確実に把握することである。
【課題を解決するための手段】
【０００５】
そこで発明者は、鋭意研究を重ねた結果、請求項１の発明を、デジタルラジオ放送波にＣ-ＢＭＬを搭載してコンテンツ信号の送信を行い、該コンテンツ信号を受信側の携帯電話，カーナビゲーション又はパソコン等の端末にて一時記憶し、一時記憶されたＣ-ＢＭＬのコンテンツ信号における番組内容全体となるコンテンツ基本ＩＤと端末識別ＩＤとをログサーバに通信回線を介して送信し、該ログサーバにて予め登録された全端末数に対する聴取状態の前記コンテンツ基本ＩＤの端末聴取総数とを集計して番組の聴取率を計算して閲覧可能としてなることを特徴とするデジタルラジオ放送波受信制御システムとしたことにより、前記課題を解決した。
【０００６】
請求項２の発明を、デジタルラジオ放送波にＣ-ＢＭＬを搭載してコンテンツ信号の送信を行い、該コンテンツ信号を受信側の携帯電話，カーナビゲーション又はパソコン等の端末にて一時記憶し、一時記憶されたＣ-ＢＭＬのコンテンツ信号における番組内容全体となるコンテンツ基本ＩＤと端末識別ＩＤとをログサーバに通信回線を介して送信し、該ログサーバにて予め登録された全端末数に対する視聴状態の前記コンテンツ基本ＩＤの端末視聴総数とを集計して番組の視聴率を計算して閲覧可能としてなることを特徴とするデジタルラジオ放送波受信制御システムとしたことにより、前記課題を解決した。
【０００７】
請求項３の発明を、前述の構成において、前記コンテンツ基本ＩＤにおける各コンテンツカテゴリＩＤを聴取又は視聴してなることを特徴とするデジタルラジオ放送波受信制御システムとしたことにより、前記課題を解決した。また、請求項４の発明を、前述の構成において、前記聴取率又は視聴率は、過去又は現在を、或いはリアルタイムにて閲覧可能としてなることを特徴とするデジタルラジオ放送波受信制御システムとしたことにより、前記課題を解決したものである。
【０００８】
請求項５の発明を、デジタルラジオ放送波にＣ-ＢＭＬを搭載してコンテンツ信号の送信を行い、該コンテンツ信号を受信側の携帯電話，カーナビゲーション又はパソコン等の端末にて一時記憶し、一時記憶されたＣ-ＢＭＬのコンテンツ信号における番組内容全体となるコンテンツ基本ＩＤと端末識別ＩＤとをログサーバに通信回線を介して送信し、該ログサーバにて予め登録された全端末数に対する聴取又は視聴状態の前記コンテンツ基本ＩＤにおける各コンテンツカテゴリＩＤ内での楽曲等の詳細情報又は購入情報を選択した端末聴取又は視聴総数とを集計して番組の通信率を計算して閲覧可能としてなることを特徴とするデジタルラジオ放送波受信制御システムとしたことにより前記課題を解決した。
【０００９】
請求項６の発明を、前述の構成において、前記楽曲等の詳細情報又は購入情報はＷＥＢサーバに通信回線を介して送信し、該ＷＥＢサーバに格納された前記詳細情報又は購入情報を前記ログサーバに通信回線を介して送信して番組の通信率を計算して閲覧できることを特徴とするデジタルラジオ放送波受信制御システムとしたことにより、前記課題を解決した。また、請求項７の発明を、前述の構成において、前記通信率は、過去又は現在を、或いはリアルタイムにて閲覧可能としてなることを特徴とするデジタルラジオ放送波受信制御システムとしたことにより、前記課題を解決した。
【００１０】
請求項８の発明を、Ｃ-ＢＭＬを搭載したデジタルラジオ放送波から携帯電話，カーナビゲーション又はパソコン等の端末に一時記憶されてデータ処理された番組内容全体となるコンテンツ基本ＩＤと前記端末毎の端末識別ＩＤとを通信回線を介する受信手段にてログサーバに受信し、該ログサーバに予め登録された全端末数に対し前記受信手段にて受信した視聴状態の前記コンテンツ基本ＩＤの端末視聴総数とを集計して番組の視聴率を計算して閲覧可能としてなることを特徴とするデジタルラジオ放送波受信制御システムにおけるサーバ装置としたことにより、前記課題を解決したものである。
【００１１】
請求項９の発明を、Ｃ-ＢＭＬを搭載したデジタルラジオ放送波から携帯電話，カーナビゲーション又はパソコン等の端末に一時記憶されてデータ処理された番組内容全体となるコンテンツ基本ＩＤと前記端末毎の端末識別ＩＤとを通信回線を介する受信手段にてログサーバに受信し、該ログサーバに予め登録された全端末数に対し前記受信手段にて受信した聴取状態の前記コンテンツ基本ＩＤの端末聴取総数とを集計して番組の聴取率を計算して閲覧可能としてなることを特徴とするデジタルラジオ放送波受信制御システムにおけるサーバ装置としたことにより、前記課題を解決した。
【００１２】
請求項１０の発明を、前述の構成において、前記コンテンツ基本ＩＤにおける各コンテンツカテゴリＩＤを聴取又は視聴してなることを特徴とするデジタルラジオ放送波受信制御システムにおけるサーバ装置としたことにより、前記課題を解決した。また、請求項１１の発明を、前述の構成において、前記聴取率又は視聴率は、過去又は現在を、或いはリアルタイムにて閲覧可能としてなることを特徴とするデジタルラジオ放送波受信制御システムにおけるサーバ装置としたことにより、前記課題を解決した。
【００１３】
請求項１２の発明を、Ｃ-ＢＭＬを搭載したデジタルラジオ放送波から携帯電話，カーナビゲーション又はパソコン等の端末に一時記憶されてデータ処理された番組内容全体となるコンテンツ基本ＩＤと前記端末毎の端末識別ＩＤとを通信回線を介する受信手段にてログサーバに受信し、該ログサーバに予め登録された全端末数に対し前記受信手段にて受信した聴取又は視聴状態の前記コンテンツ基本ＩＤにおける各コンテンツカテゴリＩＤ内での楽曲等の詳細情報又は購入情報を選択した端末聴取又は視聴総数とを集計して番組の通信率を計算して閲覧可能としてなることを特徴とするデジタルラジオ放送波受信制御システムにおけるサーバ装置としたことにより、前記課題を解決した。
【００１４】
請求項１３の発明を、前述の構成において、前記楽曲等の詳細情報又は購入情報はＷＥＢサーバに通信回線を介して送信し、該ＷＥＢサーバに格納された前記詳細情報又は購入情報を前記ログサーバに通信回線を介して送信して番組の通信率を計算して閲覧できることを特徴とするデジタルラジオ放送波受信制御システムにおけるサーバ装置としたことにより、前記課題を解決した。また、請求項１４の発明を、前述の構成において、前記通信率は、過去又は現在を、或いはリアルタイムにて閲覧可能としてなることを特徴とするデジタルラジオ放送波受信制御システムとしたことにより前記課題を解決したものである。
【発明の効果】
【００１５】
請求項１の発明では、聴取者の聴取率を自動的に集計することができ、従来極めて困難視されていた点を解消させ、番組のニーズをいち早く取得でき、ユーザへのよりよい番組提供ができるものである。また、その聴取率データを放送局側にフィードバックさせることで、番組などの視聴率又は聴取率を把握して番組内容に反映させることができる。請求項２の発明では、視聴者の視聴率を自動的に集計することができ、請求項１の発明と同様な効果を奏する。
【００１６】
また、請求項３の発明では、番組内での各コンテンツカテゴリＩＤ内の各ＩＤの視聴率又は聴取率を表示でき、木目細かい対応ができる。請求項４の発明では、視聴率又は聴取率について、過去又は現在、或いはリアルタイムにて閲覧できる利点がある。
【００１７】
請求項５の発明では、コンテンツカテゴリＩＤの内で楽曲等の詳細情報又は購入情報を選択した端末聴取又は視聴総数の通信率を計算することができ、請求項１の発明と同様な効果を奏することができると共に、広告代理店、番組制作者等  も有効利用できる。請求項６の発明では、ＷＥＢサーバを設けることで飛躍的に大容量、高速処理が可能にできる利点がある。請求項７の発明では、通信率について、過去又は現在、或いはリアルタイムにて閲覧できる利点がある。
【００１８】
請求項８の発明では、聴取者の聴取率を自動的に集計して番組などの視聴率又は聴取率を把握して番組内容に反映させることができるサーバ装置を提供できる。請求項９の発明では、視聴者の視聴率を自動的に集計することができ、請求項８の発明と同様な効果を奏する。また、請求項１０の発明では、番組内での各コンテンツカテゴリＩＤ内の各ＩＤの視聴率又は聴取率を表示でき、木目細かい対応ができるサーバにできる。請求項１１の発明では、視聴率又は聴取率について、過去又は現在、或いはリアルタイムにて閲覧できるサーバ装置にできる。
【００１９】
請求項１２の発明では、コンテンツカテゴリＩＤの内で楽曲等の詳細情報又は購入情報を選択した端末聴取又は視聴総数の通信率を計算することができるサーバ装置を提供できる。請求項１３の発明では、ＷＥＢサーバを設けることで飛躍的に大容量、高速処理が可能にできるサーバ装置としての利点がある。請求項１４の発明では、通信率について、過去又は現在、或いはリアルタイムにて閲覧できるサーバ装置にできる。
【発明を実施するための最良の形態】
【００２０】
以下、本発明の実施形態について図面に基づいて説明すると、図８は本発明の第１実施形態の概略図である。デジタルラジオ放送波の放送を受信できる携帯電話，カーナビゲーション又はパソコン等の端末Ａと、ログサーバＢと、ラジオ放送局などの放送コンテンツ関係者Ｄとからなり、前記端末Ａと、ログサーバＢ又はＷＥＢサーバＣとはインターネット等の通信回線Ｅにて連結されている。また、ＷＥＢサーバＣを加えた構成が、本発明の第２実施形態の概略図である。まず、共通の構成関連技術について説明する。
【００２１】
デジタルラジオ放送波（約１０ＭＨｚ〜約２００ＭＨｚ）に対して、Ｃ-ＢＭＬ（Compact Broadcast Markup Language）が搭載されている。該Ｃ-ＢＭＬは、ＸＨＴＭＬ（eXensible Hyper Text Markup Language）をベースにしたものであって、ＨＴＭＬ(Hyper Text Markup Language)をＸＭＬ（eXensible Markup Language）で定義し、表示制御をデジタルラジオ放送用の指定書式にしたものである。
【００２２】
また、前記端末Ａには、図２に示すように、データ集積・送信部Ａ１が設けられ、前記デジタルラジオ放送波に搭載されたＣ-ＢＭＬには、コンテンツ信号における基本となるコンテンツ基本ＩＤが搭載されている。該コンテンツ基本ＩＤには、図９乃至図１１に示すように、ＳＴＡＲＴ時間、地域フラグ、属性フラグ、コンテンツカテゴリＩＤ、終了時間等が包含されるように構成されている。
【００２３】
つまり、コンテンツ基本ＩＤとは、図９に示すように、ＳＴＡＲＴ時間から終了時間までの一連の番組内容である。これが、数分乃至数時間ということもある。そのＳＴＡＲＴ時間から終了時間までの間に、地域プラグと属性プラグとコンテンツカテゴリＩＤ（番組ＩＤともいう。）とが包含されている。さらに、この他に適宜にＩＤが包含されることもある。前記地域フラグとは、デジタルラジオ放送波を発信するエリアを指すものであり、例えば、全国、関東地区、甲信越地区、関西地区、中部地区、北海道地区、九州地区等である。
【００２４】
前記コンテンツカテゴリＩＤ（番組ＩＤ）には、図９の送出データ内容に示すように、会話ＩＤ（Voice）、ＣＭＩＤ、タイアップ広告ＩＤ、楽曲ＩＤ(Music)、画像（動画、静止画を含む）ＩＤが包含されている。前記コンテンツカテゴリＩＤ又は番組ＩＤには、チャンネル情報、番組名、番組内容、番組カテゴリ、通信ＵＲＬ等であり、これらの全体又は一部をいう。前記会話ＩＤ（Voice）とは、Ｃ-ＢＭＬの会話内容と、会話している人名（アナウンサー、司会者、俳優等）である。また、前記ＣＭＩＤとは、Ｃ-ＢＭＬのＣＭ内容と、ＣＭ名、広告主名、商品名、通信ＵＲＬ等であり、これらの全体又は一部をいい、予め制作された録画又は録音されたコンテンツである。
【００２５】
また、前記タイアップ広告ＩＤとは、Ｃ-ＢＭＬのタイアップ広告内容と、タイアップ広告名、広告主名、通信ＵＲＬ等であり、これらの全体又は一部をいい、生中継広告である。前記楽曲ＩＤ(Music)とは、Ｃ-ＢＭＬの楽曲内容と、楽曲名、アーティスト名、画像付き楽曲、通信ＵＲＬ等であり、これらの全体又は一部をいう。また、前記画像ＩＤは、Ｃ-ＢＭＬの画像内容と、動画（映像）、静止画であって、画像名、ジャンル名（プロモーションビデオ、スタジオ映像、ジャケット写真、アーティスト写真等）、通信ＵＲＬ等であり、これらの全体又は一部をいうものである。
【００２６】
これらの会話内容、ＣＭ内容、タイアップ広告内容、楽曲内容、画像内容は、それぞれのＩＤの中で約９割以上の割合で、その他の表示が約１から２％内外で表示されるように構成されている。さらに具体的には、その内容以外の文字等の表示は、数秒毎ないし数十秒毎に表わされるように構成されている。
【００２７】
また、前記端末Ａには、図２に示すように、データ集積・送信部Ａ１が設けられている。該データ集積・送信部Ａ１は、中央処理装置ＣＰＵで制御されている。デジタルラジオ放送波のコンテンツ信号〔主に、画像データ（動画、静止画を含む。）、テキストデータ、コンテンツ識別データ等〕を受信する放送波受信手段１０と、前記コンテンツ信号を解析する（一般には暗号解析も含む。）放送波解析手段１１と、性別，年代等を識別する端末識別ＩＤを蓄積する端末識別ＩＤ蓄積手段１２と、前記コンテンツ信号の内容を前記端末Ａの表示画面１に表示する端末表示手段１３と、前記ログサーバＢへコンテンツ信号などを送信するデータ送信手段１４が前記中央処理装置ＣＰＵに連結され制御可能に設けられている。前記データ集積・送信部Ａ１には、これらの手段の一部又は全部があり、或いはこれに適宜加えることもある。
【００２８】
前記端末識別ＩＤは、各端末Ａに格納されている属性フラグである。具体的には、個々人の端末Ａ毎に、性別と年代が属性フラグとして格納されている。氏名は一般には格納されずに、属性フラグのみが格納されていることもある。該属性フラグとは、デジタルラジオ放送波を受信している視聴者の性別及び年代である。例えば、２０代〜３０代の女性、４０代〜５０代の女性、２０代の男性、３０代〜５０代の男性などである。また、場合によっては、男女に区別することなく、小学生、中学生、高校生、大学生、社会人等で区分けすることもある。
【００２９】
前記ログサーバＢとは、放送局などが保有している大容量サーバであり、前記各端末Ａから通信回線Ｅを介して送信された前記コンテンツ基本ＩＤ又は各コンテンツカテゴリＩＤの信号が一時記憶され、種々計測・計算がされ、これを視聴率、聴取率、通信率として利用できる。前記ログサーバＢは、大規模集積回路ＭＰＵで制御されている。前記端末Ａからの信号を受信する端末信号受信手段２１と、視聴率計測手段２２（視聴率計算手段）と、聴取率計測手段（聴取率計算手段）２３と、通信率計測手段（通信率計算手段）２４と、視聴率，聴取率，通信率等の各種率の提供受入手段２５と、その各種率の提供手段２６とが前記大規模集積回路ＭＰＵに接続され制御可能に設けられている。
【００３０】
前記ログサーバＢには、必要に応じて、前記端末識別ＩＤのみを受信する端末識別ＩＤ受信手段２７と、前記ＷＥＢサーバＣからの信号を受信するＷＥＢサーバ信号受信手段２８と、各種のデータを適宜記憶する各種データ記憶手段２９とが設けられることもある。前記提供受入手段２５は、放送コンテンツ関係者Ｄとしての放送局，広告代理店，番組制作者，クライアント等に対しての各種率の閲覧の要求を受け入れる手段であり、前記提供手段２６とは、その放送コンテンツ関係者Ｄの要求に応じて各種率を提供する手段である。前記ログサーバＢには、これらの手段の一部又は全部があり、或いはこれに適宜加えることもある。
【００３１】
前記視聴率とは、デジタルラジオ放送中に端末Ａにおける表示画面１に画像（動画、静止画を含む）が表示されつつ音声が流れている〔図７の（イ）参照〕率をいう。具体的には、予め、前記端末識別ＩＤが登録された全端末数に対して、現在視聴されている状態若しくは過去の、又はリアルタイムでのコンテンツ基本ＩＤの端末聴取総数を集計・計算して求められた割合、或いはコンテンツ基本ＩＤにおける、番組、楽曲等のカテゴリ別となる各コンテンツカテゴリＩＤの端末聴取総数を集計・計算して求められた割合である。
端末識別ＩＤの登録済み全端末数÷現在視聴状態の全端末数×１００
の式で表され、この数値データは、逐一前記放送コンテンツ関係者Ｄが利用できる。
【００３２】
また、前記聴取率とは、デジタルラジオ放送中に端末Ａにおけるラジオ放送の音声が流れている〔図１の（イ）参照〕率をいう。
端末識別ＩＤの登録済み全端末数÷現在聴取状態の全端末数×１００
の式で表されている。
【００３３】
前記通信率とは、デジタルラジオ放送中に端末Ａにおける画像（動画、静止画を含む）を表示しつつ音声が流れている状態又はラジオ放送の音声が流れている状態において、特別に選択した状態をいい、具体的には、図７の（ハ）において「この曲をダウンロードする」等の特別選択状態をいうものである。
端末識別ＩＤの登録済み全端末数÷現在特別選択状態の全端末数×１００
の式で表されている。
【００３４】
次に、端末Ａの動作等の作用について図５に基づいて説明する。まず、デジタルラジオ放送波にＣ-ＢＭＬを搭載してコンテンツ信号を配信する。そして適宜な端末ＡのラジオのスイッチをＯＮにするとデジタルラジオ放送波のコンテンツ信号を受信し（Ｓ１）、図７の（ア）の番組表画面が表示される（Ｓ２）。そして、好みの放送局（Ａ局）を選択（クリック）して適宜なロックなる楽局ＩＤとする〔図７（イ）参照〕。このクリックの表示では、図７（イ）に示すように、画像（動画、静止画を含む）ＩＤが入って表示されている。
【００３５】
この画面は、上半分にアーティストの静止画又は動画が表示され（Ｓ２）、その表示画面１の下半分には、アーティスト：○○  楽曲：△△等が表示された画面があり、このときには、楽曲音も流れている。この画像状態（テレビ的）を保持したい場合には、ラジオを受信するかの判断（Ｓ３）で、ＮＯとすれば、この画像状態を保持する（Ｓ４）。
【００３６】
この状態を続けて何秒後（例えば、数秒毎ないし数十秒毎）かには、このデータを格納（蓄積）したり（Ｓ５）、或いは前記データ集積・送信部Ａ１のデータ送信手段１４によって、前記端末Ａの端末識別ＩＤと、現在見ている画像（動画、静止画を含む）ＩＤとを前記ログサーバＢに送信して（Ｓ６）一時記憶させる。このような視聴者が適宜存在していたとすると前記ログサーバＢにて回線Ｅを介して送信された前記コンテンツ基本ＩＤ又は各コンテンツカテゴリＩＤの信号が一時記憶され、種々計測・計算され、これによって、端末識別ＩＤの登録済み全端末数に対する、現在の視聴状態の全端末数を視聴率として把握することができ、種々に利用できる。
【００３７】
また、音楽のみを聴きたい（ラジオ受信）場合には、図７（イ）の画像状態において、表示画面１の下側の画像ＯＦＦのスイッチを押すと、すなわち、Ｓ３の判断においてＹＥＳとしたこととなり、今度は、その画面は消え、テキストデータのみが表示された状態となり〔図７（ウ）参照〕、音声のみが聴取できる状態となる（Ｓ７）。このときにも、画像のときと同様に、何秒後かには、このデータを格納（蓄積）したり（Ｓ８）、或いは前記データ集積・送信部Ａ１のデータ送信手段１４によって、前記端末Ａの端末識別ＩＤと、現在見ているテキストデータとを前記ログサーバＢに送信して（Ｓ９）一時記憶させ、種々計測・計算され、これによって、端末識別ＩＤの登録済み全端末数に対する、現在の聴取状態の全端末数を視聴率として把握することができる。
【００３８】
また、視聴率，聴取率又は通信率の計測制御について、ログサーバＢの作用について、図６に基づいて説明する。まず、デジタルラジオ放送波にＣ-ＢＭＬを搭載してコンテンツ信号がログサーバＢに受信される（Ｓ２１）。そして、放送コンテンツ関係者Ｄからの各種率の提供受入（依頼要求）があった場合には判断がＳ２２においてＹＥＳとなり、前記ログサーバＢが自動的に各種率の提供受入手段２５を介して受入れられ、視聴，聴取又は通信情報を集計し（Ｓ２３）、端末識別ＩＤ登録済全端末Ａ数に対する、現在の視聴，聴取又は通信状態の全端末数の割合が計測（計算）処理され（Ｓ２４）、その視聴，聴取又は通信状態なる各種率の提供手段２６を介して放送コンテンツ関係者Ｄに閲覧表示させることができる。これは、ログサーバＢによる処理によって過去又は現在を、或いはリアルタイムにて閲覧することができる。
【００３９】
また、前記端末Ａの端末識別ＩＤに属性フラグを格納した状態で視聴率又は聴取率を計算すると、極めて新規なる視聴率又は聴取率の各データを取得できる。その端末識別ＩＤの登録済み全端末数に対して、例えば、２０代男性、３０代男性、４０代男性、５０代男性、男性全体としたり、或いは、２０代女性、３０代女性、４０代女性、５０代女性、女性全体したならば、より木目の細かい対応ができる。
【００４０】
具体的には、アーティスト：○○  楽曲：△△の等が表示された画像（動画、静止画を含む）ＩＤの場合に、２０代の女性に的を絞ると、端末識別ＩＤの登録済みの２０代女性全端末数に対する、現在視聴状態の２０代女性全端末数の割合としての視聴率が判るものである。
【００４１】
前述の説明では、構成において、前記楽曲ＩＤの画像（動画、静止画を含む）ＩＤの視聴率又は前記楽曲ＩＤのテキスト画面の音声のみのラジオの聴取率を把握するものであったが、これを、ＣＭＩＤの視聴率又は聴取率、タイアップ広告ＩＤの視聴率又は聴取率を測定することができるようになる。
【００４２】
また、本発明の第２実施形態（図１参照）として説明したように、大容量のシステムを構築する場合には前記ログサーバＢに前記ＷＥＢサーバＣを設けるものである。該ＷＥＢサーバＣは、前記ログサーバＢも、放送局などが保有している大容量サーバであり、大規模集積回路ＭＰＵで制御されている。前記各端末Ａから通信回線Ｅを介して送信された、主に各コンテンツカテゴリＩＤの信号が一時記憶され、種々計測・計算がされ、これで通信率として利用できる。
【００４３】
前記ＷＥＢサーバＣは、図４に示すように、前記端末Ａからの信号を受信する端末信号受信手段３１と、前記端末識別ＩＤのみを受信して蓄積する端末識別ＩＤ受信・記憶手段３２と、サイト閲覧履歴記憶手段３３と、購買履歴記憶手段３４と、資料請求履歴記憶手段３５と、アンケート回答履歴記憶手段３６と、入会履歴等の情報記憶手段３７と、前記ログサーバＢに各種データ信号を送信する各種率記憶信号送信手段３８とが備えられている。前記ＷＥＢサーバＣには、これらの手段の一部又は全部があり、或いはこれに適宜加えることもある。該ＷＥＢサーバＣの存在によって、各種のサービスが拡大すると共に、高速・大容量化できる利点がある。
【００４４】
図１０は、デジタルラジオ放送波の送出データ例であって、地域フラグが全国（ＡＬＬ）で、属性フラグが男女全体（ＡＬＬ）とし、これで、会話ＩＤ（Voice）、楽曲ＩＤ(Music)、ＣＭＩＤ、画像ＩＤ、タイアップ広告ＩＤ等が時間軸として放出されている。このような放送波において、コンテンツ（番組、楽曲等）の視聴率、聴取率などを正確に把握して表示閲覧できる。図１１は、属性フラグを利用して、例えば、関東・甲信越地区で、２０〜２５才の女性に対してターゲットを絞ったコンテンツ発信もできる。
【００４５】
本発明は、デジタルラジオ放送波受信制御システムについての技術内容を記載したが、デジタルテレビ放送波受信制御システム及びそのサーバ装置についても、同様な構成により、視聴率、聴取率などを正確に把握して表示閲覧できるものである。
【図面の簡単な説明】
【００４６】
【図１】本発明のデジタルラジオ放送波受信制御システムの簡略構成図、。
【図２】端末のデータ集積・送信部のブロック図、
【図３】ログサーバのブロック図、
【図４】ＷＥＢサーバのブロック図、
【図５】端末での処理動作を示すフローチャート、
【図６】ログサーバでの処理動作を示すフローチャート、
【図７】（ア）は端末においてラジオとしてのスイッチをＯＮした状態の端末の画面表示状態、（イ）は適宜の局をクリックした状態の画像（テレビ状態）表示状態、（ウ）は画像をＯＦＦとして音声（ラジオ状態）としたテキスト画面表示状態、（エ）は曲をダウンロード（選択操作状態）した画面表示状態、（オ）は曲のダウンロード（選択操作状態）を完了した画面表示状態である。
【図８】本発明のデジタルラジオ放送波受信制御システムの他の実施形態の簡略構成図、
【図９】送出データ内容、
【図１０】送出データの一例、
【図１１】送出データの他の一例である。
【符号の説明】
【００４７】
Ａ…端末、Ｂ…ログサーバ、Ｃ…ＷＥＢサーバ、Ｄ…放送コンテンツ関係者、
Ｅ…通信回線。
【図１】
2007110438.tif 000003
【図２】
2007110438.tif 000004
【図３】
2007110438.tif 000005
【図４】
2007110438.tif 000006
【図５】
2007110438.tif 000007
【図６】
2007110438.tif 000008
【図７】
2007110438.tif 000009
【図８】
2007110438.tif 000010
【図９】
2007110438.tif 000011
【図１０】
2007110438.tif 000012
【図１１】
2007110438.tif 000013
【手続補正書】
【提出日】平成17年10月20日(2005.10.20)
【手続補正１】
【補正対象書類名】明細書
【補正対象項目名】００３１
【補正方法】変更
【補正の内容】
【００３１】
前記視聴率とは、デジタルラジオ放送中に端末Ａにおける表示画面１に画像（動画、静止画を含む）が表示されつつ音声が流れている〔図７の（イ）参照〕率をいう。具体的には、予め、前記端末識別ＩＤが登録された全端末数に対して、現在視聴されている状態若しくは過去の、又はリアルタイムでのコンテンツ基本ＩＤの端末聴取総数を集計・計算して求められた割合、或いはコンテンツ基本ＩＤにおける、番組、楽曲等のカテゴリ別となる各コンテンツカテゴリＩＤの端末聴取総数を集計・計算して求められた割合である。
現在視聴状態の全端末数÷端末識別ＩＤの登録済み全端末数×１００
の式で表され、この数値データは、逐一前記放送コンテンツ関係者Ｄが利用できる。
【手続補正２】
【補正対象書類名】明細書
【補正対象項目名】００３２
【補正方法】変更
【補正の内容】
【００３２】
また、前記聴取率とは、デジタルラジオ放送中に端末Ａにおけるラジオ放送の音声が流れている〔図１の（ウ）参照〕率をいう。前記視聴率と同様に、
現在聴取状態の全端末数÷端末識別ＩＤの登録済み全端末数×１００
の式で表されている。
【手続補正３】
【補正対象書類名】明細書
【補正対象項目名】００３３
【補正方法】変更
【補正の内容】
【００３３】
前記通信率とは、デジタルラジオ放送中に端末Ａにおける画像（動画、静止画を含む）を表示しつつ音声が流れている状態又はラジオ放送の音声が流れている状態において、特別に選択した割合をいい、具体的には、図７の（ウ）において「この曲をダウンロードする」等の特別選択状態の割合をいうものである。前記視聴率と同様に、
現在特別選択状態の全端末数÷端末識別ＩＤの登録済み全端末数×１００
の式で表されている。